(57)【要約】【課題】  相手電話がオフフックする前に発生する極性反転の誤検出を防ぐこと。【解決手段】  音声再生手段１０は、極性検出手段８が極性反転を検出した旨の信号を受けて、発生事象に応じた音声を再生する。再生された音声は、外部通話装置６がオンフックしていた場合には、電話回線を通じて外部通話装置６で聞くことができる。通信装置２は、内部のダイヤルトーン検出手段９を用いてＤＴＭＦ信号を検出した場合、極性反転手段８は、その後、例えば利用者が外部通話装置６より電話を切断する（オンフック）ことを前述のように極性反転を利用して検出すると、その旨を回線切断手段１１へ伝える。回線切断手段１１は、極性検出手段８から外部通話装置６がオンフックされた旨の信号を受けて、通信装置２自らオンフックを行う。【選択図】  図２
2005045706.tif 000002
【特許請求の範囲】
【請求項１】
事象発生時に外部通話装置に電話発呼を行う発呼手段と、電話回線の極性を検出する極性検出手段と、外部通話装置からのダイヤルトーンを検出するダイヤルトーン検出手段と、前記極性検出手段が出力する極性変化の信号に基づき音声再生を行う音声再生手段と、前記ダイヤルトーン検出手段が特定のダイヤルトーンを検出した後に前記極性検出手段が検出した極性変化により回線を切断する回線切断手段とで構成された通信装置。
【請求項２】
回線切断手段は、発呼手段が電話発呼を行った後あらかじめ定められた時間内に極性検出手段が極性の変化を予め定められた回数検出できなかった場合には電話発呼を中止する請求項１記載の通信装置。
【請求項３】
音声再生手段は、発呼手段が電話発呼を行った後、極性検出手段が最初に極性の変化を検出した時点で事象に応じた音声再生を開始し、ダイヤルトーン検出手段が発呼先からのダイヤルトーンを検出するまで当該音声の再生を繰り返す構成とした請求項１記載の通信装置。
【請求項４】
ダイヤルトーン検出手段がダイヤルトーンを検出する前に前記極性検出手段が検出する極性反転回数を設定する設定手段を有する請求項１記載の通信装置。
【請求項５】
住居への侵入発生を検知する機器、家人の非常事態を検知する機器、流量計測装置、家電機器、健康機器のうち少なくとも１つからの信号を受信する受信手段と、前記受信手段からの信号を受信した場合に前記発呼手段を用いて外部通話装置に電話発呼を行う請求項１記載の通信装置。
【請求項６】
請求項１〜５のいずれか１項記載の通信装置の機能の少なくとも一部をコンピュータに実現させるためのプログラム。
【発明の詳細な説明】
【技術分野】
【０００１】
本発明は、家庭内の「セキュリティセンサ群」、「家電機器群」、「流量計測装置群」、「健康機器群」からの通知を外部の利用者へ知らせる通信装置及びプログラムに関するものである。
【背景技術】
【０００２】
従来、この種のシステムについては、以下のものが一般的であった（特許文献１参照）。図４は、従来例の一実施例の概略構成図であり、図５は、図４の送信機のブロック図であり、図６は図４の送信機の外観を示す正面図である。
【０００３】
この従来例の自動通報装置１０１は、例えば、ビルに設置されている第１〜第３設備機器１２１〜１２３と、各設備機器１２１〜１２３にそれぞれ接続されるとともに、互いに縦続接続された第１〜第３送信機１３１〜１３３と、公衆回線ネットワーク１０４と、このネットワーク１０４を介して前記送信機からのデータを受信する受信機としての電話機１０５およびポケットベル１０６とを備えている。
【０００４】
各送信機１３１〜１３３は、図６に示されるように、設備機器１２１〜１２３に接続される入力端子１０７と、電源に接続される電源端子１０８と、公衆回線ネットワーク用のＬＩＮＥ端子１０９と、電話機用のＴＥＬ端子１１０と、設定用スイッチ１１１と、液晶表示部１１２とをそれぞれ備えており、かかる構成は、基本的に従来例と同様であり、この実施例では、ＬＩＮＥ端子１０９およびＴＥＬ端子１１０が、各送信機１２１〜１２３を縦続接続するための接続コネクタとして使用できるように構成されている。
【０００５】
各設備機器１２１〜１２３の監視すべきデータ点数は、従来例と同様に８点となっており、この８点の監視データが各送信機１３１〜１３３にそれぞれ入力される。
【０００６】
この従来例では、監視すべきデータ点数の増加に対応するために、第１設備機器１２１と第１送信機１３１とからなる基本ユニットに対して、第２，第３設備機器１２２，１２３および第２，第３送信機１３２，１３３を増設して従来の監視点数８点から監視点数２４点に増加させたものであり、初段の送信機である第１送信機１３１のＬＩＮＥ端子１０９を公衆回線ネットワーク１０４に接続し、ＴＥＬ端子１１０を後段の第２送信機１３２のＬＩＮＥ端子１０９に接続し、この第２送信機１３２のＴＥＬ端子１１０をさらに後段の第３送信機１３３のＬＩＮＥ端子１０９に接続し、この第３送信機１３３のＴＥＬ端子１１０を電話機１１３に接続している。
【０００７】
各送信機１３１〜１３３は、図５に示されるように、設備機器１２１〜１２３から８点の監視データが入力される入力回路１１４と、異常なデータの入力があったときの通報先の電話番号や機器番号あるいは通報の内容などを予め設定入力する設定入力部１１５と、この設定入力部１１５および入力回路１１４の出力に基づいて、後述のように各部を制御するマイクロコンピュータ１１６と、異常なデータの入力があった時の音声メッセージなどを出力する音声合成回路１１７と、同じく異常なデータの入力があった時に受信側のポケットベル１０６に表示するメッセージに対応したプッシュ信号を出力するＤＴＭＦ回路１１８と、ダイヤルトーンやリングバックトーンなどを検出するＣＰＴ（Ｃａｌｌ  Ｐｒｏｇｒｅｓ  Ｔｏｎｅ）検出回路１１９と、ローパスフィルタ１２７と、アッテネータ１２７と、呼び出し信号を検出する呼び出し検出回路１２０と、極性反転検出回路１２１と、オフフックを検出するオフフック検出回路１２２と、設定入力の内容などを液晶表示部１１２に表示する表示回路１２３と、日付および時刻を管理する時計回路１２４と、設定入力の内容を記憶する不揮発性の外部メモリ１２５とを備えている。
【０００８】
なお、Ｒ１，Ｒ１（ａ）は通報先の電話機がトーンであるかダイヤルであるかに応じてマイクロコンピュータ１１６によって制御される第１リレーおよびその接点、Ｒ２，Ｒ２（ｂ）はマイクロコンピュータ１１６によって後述のように制御される第２リレーおよびその接点、１２６はサージアブソーバーである。
【０００９】
各送信機１３１〜１３３は、従来例の送信機と同様に、入力回路１１４への監視データの異常な入力があると、マイクロコンピュータ１１６が、予め設定された所定時間、例えば、５秒経過後、通報先の電話機１０５あるいはポケットベル１０６へ通報するものであるが、この従来例では、３つの第１〜第３送信機１３１〜１３３を縦続接続して同一の電話回線を使用するので、各送信機１３１〜１３３のマイクロコンピュータ１１６は、次のような送信制御を行うものである。
【００１０】
すなわち、各送信機１３１〜１３３は、データを送信する、すなわち、異常を通報するときには、上述の第２リレーの接点Ｒ２（ｂ）をオフして後続の回線を切り離すようにしており、しかも、異常の通報をする場合には、前後の送信機が送信中でないことを確認し、送信中であれば、送信が終了した後に通報を行うものである。
【００１１】
図７は、このような送信制御のフローチャートであり、先ず、設備機器からの監視データに異常な入力があるか否かを判断し（ステップｎ１）、異常な入力があった場合には、回線音（ダイヤルトーン）が検出されているか否かを判断し（ステップｎ２）、回線音が検出されないときには、前段側の送信機が回線を使用中であるとしてステップｎ２に戻り、回線音が検出されたときには、オフフックが検出されているか否かを判断し（ステップｎ３）、オフフックが検出されているときには、後段側の送信機が回線を使用中であるとしてステップｎに戻り、オフフックが検出されていないときには、前後の送信機が送信中でないとして通報を行うものである（ステップｎ４）。
【００１２】
このようにして、同一の電話回線を使用して３つの第１〜第３送信機１３１〜１３３から異常を通報することが可能となり、監視すべきデータ点数を２４点に増やすことができる。
【００１３】
なお、最終段である第３送信機１３３のＴＥＬ端子１１０には、電話機１１３が接続されているので、前段側の第１〜第３送信機１３１〜１３３が送信中でないとき、すなわち、受話機１１３の送受話器を取り上げて回線音（ダイヤルトーン）が聞こえれば、受信側の電話機１０５との間で通常の通話をすることができる。
【００１４】
上述の従来例では、他の送信機が送信中であるときには、他の送信機の送信が終了するまで待機するようにしたけれども、本発明の他の実施例として、送信機に優先順位を設け、優先順位の高い送信機の送信を優先させるようにしてもよい。
【特許文献１】特開平６−２５３０３９号公報
【発明の開示】
【発明が解決しようとする課題】
【００１５】
しかしながら上記従来の構成では、相手電話の使用者が実際に電話をオフフックする前に、極性反転が発生した場合に、「相手が電話を取った」と誤検知してしまう恐れがある。最近、急速に普及している「ブロードバンド環境」においては、相手電話がオフフックしていないにもかかわらず、極性反転が発生する場合がある。「ブロードバンド環境」では、ＡＤＳＬやＦＴＴＨ等の常時接続環境があるが、このような常時接続環境では、当該サービスを提供するプロバイダーの規格に沿ったモデムが必要となる。ここで、例えば、ＡＳＤＬ環境においては、スプリッターが必要となるが、このスプリッター内蔵のモデムも登場してきている。また、最近は「ＩＰ電話」の普及もめまぐるしく、「ＩＰ電話」にも対応した「スプリッター内蔵モデム」も登場してきている。このような、多種多様なモデムの中で、機種によっては、実際に外部通話装置６がオフフックする前に、前記ダイヤリングの前後で極性反転が発生するものもある。このような多種多様の接続形態に対応できないという課題があった。
【課題を解決するための手段】
【００１６】
本発明は上記課題を解決するため、極性反転の検出回数だけでなくダイヤルトーンの検出も加えて相手が電話を取ったかを確認する手法を取ることで、「ブロードバンド環境」下における多種多様な接続環境においても、外部電話の利用者へ確実に事象内容を伝えることができるようになり、装置、そしてシステム全体の信頼性が向上され、普及促進を図ることができる。
【００１７】
そのため、通信装置には、事象発生時に外部通話装置に電話発呼を行う発呼手段と、電話回線の極性を検出する極性検出手段と、外部通話装置からのダイヤルトーンを検出するダイヤルトーン検出手段と、前記極性検出手段が出力する極性変化の信号に基づき、音声再生を行う音声再生手段と、前記ダイヤルトーン検出手段が特定のダイヤルトーンを検出した後に前記極性検出手段が検出した極性変化により回線を切断する回線切断手段を設けた構成としている。
【発明の効果】
【００１８】
以上説明したように本発明は、事象発生時に極性反転及びダイヤルトーンを利用して外部電話に発呼して当該事象を知らせるものであり、「ブロードバンド環境」下における多種多様な接続環境においても、外部電話の利用者へ確実に事象内容を伝えることができるようになり、装置、そしてシステム全体の信頼性が向上され、普及促進を図ることができる。
【発明を実施するための最良の形態】
【００１９】
本発明の請求項１にかかる通信装置は、事象発生時に外部通話装置に電話発呼を行う発呼手段と、電話回線の極性を検出する極性検出手段と、外部通話装置からのダイヤルトーンを検出するダイヤルトーン検出手段と、前記極性検出手段が出力する極性変化の信号に基づき、音声再生を行う音声再生手段と、前記ダイヤルトーン検出手段が特定のダイヤルトーンを検出した後に前記極性検出手段が検出した極性変化により回線を切断する回線切断手段を有するものである。
【００２０】
そして、「ブロードバンド環境」下における多種多様な接続環境において、実際に相手が電話を受ける前に極性反転が発生している場合においても、相手が電話を取ったことを確実に認識できると共に、事象に応じた文言を確実に外部電話に伝えることが可能となる。
【００２１】
本発明の請求項２にかかる通信装置は、回線切断手段は、発呼手段が電話発呼を行った後あらかじめ定められた時間内に極性検出手段が極性の変化を予め定められた回数検出できなかった場合には電話発呼を中止するものである。
【００２２】
そして、通信装置は外部通話装置へ電話発呼を行った場合において相手が留守その他の理由により電話に出ない（オフフックしない）のをいち早く検出することができるようになり、通信不可時の処理（例えば、次に登録されている電話番号への発呼等）のすばやい実行が可能となる。これは、通報の確実性を高めると共に、同一の外部通話装置に対する無駄な呼び出しを防ぐ効果がある。また、極性反転回数をカウントする為、「ブロードバンド環境」下における多種多様な接続環境において前述の効果が発揮できる。
【００２３】
本発明の請求項３にかかる通信装置は、音声再生手段は、発呼手段が電話発呼を行った後に極性検出手段が最初に極性の変化を検出した時点で事象に応じた音声再生を開始し、ダイヤルトーン検出手段が発呼先からのダイヤルトーンを検出するまで当該音声の再生を繰り返すものである。
【００２４】
そして、「ブロードバンド環境」下における多種多様な接続環境においても、外部通話装置の利用者へ確実に事象内容を伝えることができるようになり、通信装置、そしてシステム全体の信頼性が向上され、普及促進を図ることができる。
【００２５】
本発明の請求項４にかかる通信装置は、ダイヤルトーン検出手段がダイヤルトーンを検出する前に極性検出手段が検出する極性反転回数を設定する設定手段を有するものである。
【００２６】
そして、通信装置は、外部通話装置が実際にオフフックするまでに検出する極性反転の回数を外部から設定できる為、物件毎に異なる接続環境においても、容易に外部への通報の最適化を図ることが可能となる。これは、現場での対応が可能なことを意味しており、通信装置及びシステム全体の普及促進に絶大なる効果があると共に、機器及びシステムの信頼性を向上させることができる。
【００２７】
本発明の請求項５にかかる通信装置は、住居への侵入発生を検知する機器からの信号を受信する受信手段と、前記受信手段からの信号を受信した場合に発呼手段を用いて外部通話装置に電話発呼を行うものである。
【００２８】
そして、「ブロードバンド環境」下における多種多様な接続環境において、実際に相手が電話を受ける前に極性反転が発生している場合においても、相手が電話を取ったことを確実に認識できると共に、事象に応じた文言を確実に外部電話に伝えることが可能となる。
【００２９】
また、家人の非常事態を検知する機器からの信号を受信する受信手段と、前記受信手段からの信号を受信した場合に発呼手段を用いて外部通話装置に電話発呼を行うものである。
【００３０】
そして、「ブロードバンド環境」下における多種多様な接続環境において、実際に相手が電話を受ける前に極性反転が発生している場合においても、相手が電話を取ったことを確実に認識できると共に、事象に応じた文言を確実に外部電話に伝えることが可能となる。
【００３１】
また、流量計測装置からの信号を受信する受信手段と、前記受信手段からの信号を受信した場合に発呼手段を用いて外部通話装置に電話発呼を行うものである。
【００３２】
そして、「ブロードバンド環境」下における多種多様な接続環境において、実際に相手が電話を受ける前に極性反転が発生している場合においても、相手が電話を取ったことを確実に認識できると共に、事象に応じた文言を確実に外部電話に伝えることが可能となる。
【００３３】
また、家電機器からの信号を受信する受信手段と、前記受信手段からの信号を受信した場合に発呼手段を用いて外部通話装置に電話発呼を行うものである。
【００３４】
そして、「ブロードバンド環境」下における多種多様な接続環境において、実際に相手が電話を受ける前に極性反転が発生している場合においても、相手が電話を取ったことを確実に認識できると共に、事象に応じた文言を確実に外部電話に伝えることが可能となる。
【００３５】
また、健康機器からの信号を受信する受信手段と、前記受信手段からの信号を受信した場合に発呼手段を用いて外部通話装置に電話発呼を行うものである。
【００３６】
そして、「ブロードバンド環境」下における多種多様な接続環境において、実際に相手が電話を受ける前に極性反転が発生している場合においても、相手が電話を取ったことを確実に認識できると共に、事象に応じた文言を確実に外部電話に伝えることが可能となる。
【００３７】
そして、請求項６に記載の通り、プログラムであるので汎用コンピュータや携帯情報端末を用いて本発明の通信装置の一部あるいは全てを容易に実現することができる。また記録媒体に記録したり通信回線を用いてプログラムを配信したりすることでプログラムの配布やインストール作業が簡単にできる。
【実施例１】
【００３８】
以下、本発明の実施例について図面を用いて説明する。
【００３９】
（実施例１）
図１は本発明のシステム全体のブロック図である。図１において、１は各家庭である。２は通信装置である。３は開閉センサである。４は人感センサである。５は緊急コールボタンである。６は外部通話装置である。
【００４０】
図１において、開閉センサ３、人感センサ４、緊急コールボタン５は「セキュリティセンサ群」である。ここでいう「セキュリティセンサ群」は、例えば家庭内の窓や扉に設置し、外部からの侵入者があった場合に反応して警報音を鳴らしたりその旨を通報する開閉センサ３や、人の存在有無を検知しその旨を警報音や通報を用いて威嚇や報知を行い外部からの侵入者を防ぐ人感センサ４、お年寄り等が所持して体の不調が発生した場合にボタン等を押すことで家族や医療機関等に連絡する緊急コールボタン５を指す。これらは、各家庭１周辺に設置されているものとする。通信装置２は、例えば「セキュリティセンサ群」からの異常通報が発生した場合に、その旨を画面や音声を用いて利用者へ知らせたり、外部の携帯電話、パソコン、医療機関、サービスセンター等へ通報する役目を果たす。これらをまとめて、外部通話装置６とする。
【００４１】
なお、図１においては、「セキュリティセンサ群」のみ明示しているが、通信装置２と通信を行うものとして、他に、「家電機器群」、「流量計測装置群」、「健康機器群」も考えられる。ここで言う「家電機器群」とは、「洗濯機」「電子レンジ」「エアコン」「冷蔵庫」「炊飯器」「給湯器」等の家庭で利用される家電機器を指す。通信装置２は、これらの「家電機器群」の現在の状態を把握したり、制御したりすることが可能である。例えば、外出先の携帯電話より通信装置２を介して「家電機器群」のコントロールをしたり、「家電機器群」の異常情報を外部の携帯電話、パソコン、サービスセンター等へ通報する役目を果たす。また、「流量計測装置群」とは、電気、ガス、水道等の、いわゆる各家庭のライフラインと呼ばれるエネルギー計測装置を指す。通信装置２は、これらの「流量計測装置群」と通信を行う機能を有する場合がある。すなわち、例えば各家庭のガス流量はガスメーターという「流量計測装置」によって計測される。通信装置２はガスメーターの検針値データを取得し、そのデータをガス業者へ送られる。ガス業者は当該ガス使用量に応じて当該家庭にガス料金を請求する。
【００４２】
また、ガスメーターはガスの流量を計測すると共に、各種保安機能も有している。すなわち、ガスメーターはガスの流れを遮断する遮断機能を有しており、ガス漏れや地震等が発生した場合には自動的にガスの流れを遮断すると共に、その旨を通報する。通報先は、通信装置２である。通信装置２はガスメーターが出力した遮断等のアラーム通報を、ガスサービス業者へ通報する。ガスサービス業者は当該家庭へ電話連絡で異常の旨を連絡したり、場合によっては当該家庭へ赴いて対応する。この時、通信装置２はその旨を画面や音声等のユーザーインターフェイスを用いてユーザーに通知することも可能である。
【００４３】
さらに、ガスメーターは、例えばＬＰガス用のガスメーターであった場合に、ＬＰガスボンベの残量を検出機能も有している。すなわち、ＬＰガスボンベの残量が予め定められたレベルを下回った場合や、残量がなくなってしまった場合に、ガスメーターはその旨を検知し通報する。通報の方法は前述の遮断等の場合と同様である。通報を受けたガスサービス業者は当該家庭にガスボンベを配送し交換等の作業を行う。
【００４４】
また、「健康機器群」とは、血圧計、体重計、体脂肪率計、万歩計（Ｒ）等の健康機器を指す。これらの機器は、それぞれ単独の機器として存在する場合もあれば、例えば、温水洗浄便座等に組み込まれている場合もある。なお、便器を利用して排泄物の状態を測定して健康データを取得するような機器も「健康機器群」に含まれる。いずれにしろ、これらの「健康機器群」が取得したデータは通信装置２を経由して、例えば外部の携帯電話、パソコン、医療機関、サービスセンター等へ通報することが可能である。さらには、例えば医療機関のような外部からこれらのデータを遠隔で取得することも可能である。
【００４５】
また、通信装置２は、例えば「セキュリティセンサ群」へ各種警戒動作の設定／解除を行ったり、「家電機器群」の電源のＯＮ／ＯＦＦ等の制御、「流量計測装置群」に対する流量のＯＮ／ＯＦＦ等の制御を行う役目も果たす。ここで、「セキュリティセンサ群」の場合においては、ＡＣ電源の供給が難しいため、「セキュリティセンサ群」は一般的に電池により動作を行う。また、「流量計測装置群」がガスメーターや水道メーターの場合、ガスメーターや水道メーターは各家庭の庭や裏側等に設置されており、通常電池で動作を行う。
【００４６】
一方、「家電機器群」の場合においてはＡＣ電源の供給により動作を行う。このように、通信装置２と少なくとも１台以上の「セキュリティセンサ群」「家電機器群」「流量計測装置群」によりシステムが構成される。なお、例えば利用者が外出する際に玄関先で「セキュリティセンサ群」を警戒モードに設定したり、「家電機器群」の動作をＯＦＦするために、通信装置２や「セキュリティセンサ群」、「家電機器群」「流量計測装置群」とは別に「外出リモコン」が備わったシステムも存在するが、ここでは、この「外出リモコン」も「セキュリティセンサ」の一種として考える。この「外出リモコン」も利用者が携帯して利用するため電池により動作を行う。
【００４７】
ここで、通信装置２が外部と通信を行う場合においては、回線を利用する。ここでいう回線とは、アナログ電話回線、ＩＳＤＮ回線、ＡＤＳＬ回線、ＦＴＴＨ回線、ケーブルテレビ回線等である。この回線は、当該家庭が導入している上記各種回線種別を利用することとする。なお、上記回線に応じて、通信装置２は上記回線との接続のためにモデム、Ｔ−ＮＣＵ（Ｔｅｒｍｉｎａｌ  Ｎｅｔｗｏｒｋ  Ｃｏｎｔｒｏｌ  Ｕｎｉｔ）、ＴＡ、ダイヤルアップルーター、ＯＮＵ（Ｏｐｔｉｃａｌ  Ｎｅｔｗｏｒｋ  Ｕｎｉｔ）等のモデムを介するもしくは内蔵している。一方、通信装置２と外部のサーバ装置、携帯電話、パソコン、医療機関、サービスセンター等間は、直接回線交換方式にて接続されている場合もあれば、ＩＳＰ（Ｉｎｔｅｒｎｅｔ  Ｓｅｒｖｉｃｅ  Ｐｒｏｖｉｄｅｒ）やＡＳＰ（Ａｐｐｌｉｃａｔｉｏｎ  Ｓｅｒｖｉｃｅ  Ｐｒｏｖｉｄｅｒ）経由でインターネット網を使い接続されている場合もある。さらに、通信装置１と外部のサーバ装置、携帯電話、パソコン、医療機関、サービスセンター等間の通信プロトコルは、本システムにて予め決められた無手順独自プロトコルの場合もあれば、ＴＣＰ／ＩＰ、ＨＴＴＰ、ＨＴＴＰＳ等のインターネットプロトコルを利用する場合もある。なお、本実施例においては、通信装置２は外部通話装置９と、電話回線網を通じて通信を行うこととする。
【００４８】
次に、通信装置２と「セキュリティセンサ群」、「家電機器群」、「流量計測装置群」、「健康機器群」との間の通信について説明する。ここで、通信装置２と「セキュリティセンサ群」「家電機器群」「流量計測装置群」「健康機器群」との間の通信は、例えば４００ＭＨｚ帯の特定小電力無線を用いて行われる。すなわち、開閉センサ３や人感センサ４が侵入異常を検知した場合や、緊急コールボタン５が押下された場合、「セキュリティセンサ群」はその旨を特定小電力無線を用いて通信装置２へ伝送する。ガスメーターや水道メーターから検針値を報知する場合や異常時にガスメーターや水道メーターの弁を遮断しその旨を通報する場合も、「流量計測装置群」はその旨を特定小電力無線を用いて通信装置２へ伝送する。「健康機器群」の場合も同様である。また、通信装置２から、「セキュリティセンサ群」に対して警戒動作へ移行する旨の信号を送信する場合や、ガスメーターや水道メーターの「流量計測装置群」に対して弁を遠隔で遮断／復帰する場合、「家電機器群」に動作のＯＮ／ＯＦＦの指令を送信する場合にも特定小電力無線を用いる。
【００４９】
以上のシステム構成において、本実施例では、開閉センサ３、人感センサ４、緊急コールボタン５の「セキュリティセンサ群」と通信装置２が通信を行い、通信装置２が外部通話装置９へその旨を報知する場合について図２を用いて説明する。図２は通信装置２の内部構成を示したものである。図２において、７は発呼手段、８は極性反転手段、９はダイヤルトーン検出手段、１０は音声再生手段、１１は回線切断手段、１２は受信手段である。
【００５０】
図１において、開閉センサ３や人感センサ４が侵入異常を検知した場合や、利用者が緊急コールボタン５を押下した場合、開閉センサ３、人感センサ４、緊急コールボタン５はその旨を前述のように、例えば特定小電力無線を用いて通信装置２へ送られる。ここで、通信装置２は、図２の受信手段１２で信号を受信すると、その旨を電話発呼手段（以下、発呼手段と呼ぶ）７へ送る。発呼手段７は外部通話装置６へ通報する訳だが、ここで、電話発呼を行う場合の詳細な動きについて説明する。発呼手段７は、電話発呼を行う前に、電話回線の極性信号を検出し、「宅内電話」が使用中か否かを判断する。ここでいう、「宅内電話」とは、通信装置２の後ろにつながっている当該利用者が利用する電話機や、電話回線に対して通信装置２と並列につながっている当該利用者が利用する電話である。そして、宅内電話は未使用であった場合に、電話発呼を行う。
【００５１】
具体的には、回線を「オフフック」してダイヤリングを開始する。ここで、通常の電話回線においては、「相手に電話をかけて相手が受話器を上げた時（相手が「オフフック」した時）」に回線に流れる電流の向きが逆になる現象（極性反転現象）が発生する。極性検出手段８はこの極性反転を検出する。ここで、先程、「通常の電話回線においては…」と説明したが、最近急速に普及している「ブロードバンド環境」においては、相手、すなわち外部通話装置６がオフフックしていないにもかかわらず、極性反転が発生する場合がある。「ブロードバンド環境」では、ＡＤＳＬやＦＴＴＨ等の常時接続環境があるが、このような常時接続環境では、当該サービスを提供するプロバイダーの規格に沿ったモデムが必要となる。ここで、例えば、ＡＳＤＬ環境においては、スプリッターが必要となるが、このスプリッター内蔵のモデムも登場してきている。また、最近は「ＩＰ電話」の普及もめまぐるしく、「ＩＰ電話」にも対応した「スプリッター内蔵モデム」も登場してきている。このような、多種多様なモデムの中で、機種によっては、実際に外部通話装置６がオフフックする前に、前記ダイヤリングの前後で極性反転が発生するものもある。
【００５２】
ここで、極性検出手段８は極性反転を検出すると、その旨を音声再生手段１０へ出力する。音声再生手段１０は、極性検出手段８が極性反転を検出した旨の信号を受けて、発生事象に応じた音声を再生する。例えば、緊急コールボタン５が押下された場合には、「緊急コールです！」といったような音声を再生する。ここで、再生された音声は、外部通話装置６がオンフックしていた場合には、電話回線を通じて外部通話装置６で聞くことができる。
【００５３】
一方、外部通話装置６の利用者は、オフフックした後、例えば「＃」を押すこととする。これは、今回の実施例のように、開閉センサ３や人感センサ４が侵入異常を検知した場合や、利用者が緊急コールボタン５を押下した場合といった「セキュリティセンサ群」の動作については、ある程度の緊急性を有するため、外部通話装置６の利用者へ確実に内容を伝えないといけない。その場合、外部通話装置６の利用者が確実に電話を取って発生した事象内容を確認した旨を認識するため、前述のように「＃」を押してもらう。この「＃」の信号は、外部通話装置６と通信装置２の回線が接続されている状態では、「ＤＴＭＦ（Ｄｕａｌ  Ｔｏｎｅ  Ｍｕｌｔｉ−Ｆｒｅｑｕｅｎｃｙ）信号」として、２つの可聴周波の組み合わせのダイヤルトーンとして通信装置２へ伝送される。通信装置２は、内部のダイヤルトーン検出手段９を用いてこの「ＤＴＭＦ信号」を検出する。このようにして、ダイヤルトーン検出手段９が予め定められた「ＤＴＭＦ信号」を検出した場合、その旨が極性検出手段８へ伝えられる。極性反転手段８は、その後、例えば利用者が外部通話装置６より電話を切断する（オンフック）ことを前述のように極性反転を利用して検出すると、その旨を回線切断手段１１へ伝える。回線切断手段１１は、極性検出手段８から外部通話装置６がオンフックされた旨の信号を受けて、通信装置２自らオンフックを行う。
【００５４】
以上より、「ブロードバンド環境」下における多種多様な接続環境において、実際に相手が電話を受ける前に極性反転が発生している場合においても、相手が電話を取ったことを確実に認識できると共に、事象に応じた文言を確実に外部電話に伝えることが可能となる。
【００５５】
一方、極性検出手段８、回線切断手段１１に以下のような機能を設けることも可能である。すなわち、極性検出手段８には、予め定められた回数が設定されている。この予め定められた回数とは、通信装置２からの電話発呼に対して外部通話装置６の利用者が実際にオフフックするまでに発生すると想定される極性反転の回数のことを指す。例えば、極性検出手段８に設定されている予め定められた回数が「３回」であった場合、実際に外部通話装置６がオフフックするする際に発生する極性反転も含めて、３回の極性反転が発生したら極性検出手段８は外部通話装置６の利用者がオフフックしたと認識するものとする（ここで、回数には実際に外部通話装置６がオフフックした際に発生する極性反転を含んでもよいし含まなくてもよい）。そして、極性検出手段８は、発呼手段７が電話発呼を行うタイミングで予め定められたタイマーを起動し、当該タイマーがタイムオーバーする前に設定回数：３回の極性反転を検出できた場合には、正常に相手がオフフックしたと認識する。一方、当該タイマーがタイムオーバーするまでに設定回数：３回の極性反転を検出できなかった場合には、極性検出手段８はその旨を回線切断手段１１へ知らせる。回線切断手段１１は極性検出手段８からの信号を受けて、回線切断（オンフック）を行う。
【００５６】
この機能により、通信装置２は外部通話装置６へ電話発呼を行った場合において相手が留守その他の理由により電話に出ない（オフフックしない）のをいち早く検出することができるようになり、通信不可時の処理（例えば、次に登録されている電話番号への発呼等）のすばやい実行が可能となる。これは、通報の確実性を高めると共に、同一の外部通話装置６に対する無駄な呼び出しを防ぐ効果がある。また、極性反転回数をカウントする為、「ブロードバンド環境」下における多種多様な接続環境において前述の効果が発揮できる。
【００５７】
さらに、音声再生手段１０に以下のような機能を設けることも可能である。すなわち、音声再生手段１０は、極性検出手段８が極性反転を検出した旨の信号を受けて、発生事象に応じた音声を再生するが、その際、ダイヤルトーン検出手段９が特定のＤＴＭＦ信号（例えば「＃」）を検出するまで事象に応じた音声を繰り返し再生するようにする。これにより、以下のことが可能となる。まず、前述のように「ブロードバンド環境」下における多種多様な接続環境においては、実際に外部通話装置６がオフフックされるまでに複数回の極性反転が発生する場合がある。ここで、音声再生手段１０は発呼手段７が発呼を行った後の最初の極性反転を極性検出手段８が検出した時点で事象に応じた音声の繰り返し再生を開始する。ここで、通信装置２の接続環境において、外部通話装置６が実際にオフフックするまでに極性反転が１回も発生しなくて、外部通話装置６が実際にオフフックした時に初めて極性反転が発生する場合においては、その最初の１回の極性反転で音声の繰り返し再生が始まる為、外部通話装置６の利用者は当該音声を確実に聞くことができる。一方、外部通話装置６が実際にオフフックする前にすでに極性反転が発生するような接続環境においても、音声再生手段１０は極性検出手段８が検出した最初の１回目の極性反転において音声の繰り返し再生を開始する。この時点では、外部通話装置６の利用者は、実際にまだ外部通話装置６をオフフックしていない為、当該音声を聞くことはできない。その後、外部通話装置６の呼び出し音が鳴り、利用者が実際にオフフックを行う。この時点において、音声再生手段１０は当該事象の音声の繰り返し再生を中断することはしない。よって、外部通話装置６の利用者はオフフックした時点にもよるが、音声再生手段１０の再生音声を繰り返しの最初から、もしくは途中から聞くことができる。途中から聞いた場合には、音声の意味を十分理解できない恐れがあるが、音声再生手段１０は繰り返し再生を行っている為、そのまま聞き続ければ音声が最初から繰り返され、意味を理解することが可能となる。その後、外部通話装置６の利用者は、「＃」その他のスイッチを入力する。すると、当該「＃」その他の入力は前述のように「ＤＴＭＦ信号」として通信装置２のダイヤルトーン検出手段９で認識され、その旨を受けて音声再生手段１０は音声の繰り返し再生を中止する。
【００５８】
以上より、「ブロードバンド環境」下における多種多様な接続環境においても、外部通話装置６の利用者へ確実に事象内容を伝えることができるようになり、装置、そしてシステム全体の信頼性が向上され、普及促進を図ることができる。
【００５９】
（実施例２）
図３は本発明の実施例２における通信装置２のブロック図である。図３において、１３は設定手段である。
【００６０】
図３において、実施例１と機能、役割が同一の部分は説明を省略する。設定手段１３は、通信装置２に対して外部より回数を入力できる構成となっている。ここで、設定手段１３から入力された回数は、極性検出手段８へ設定される。極性検出手段８は、設定手段１３から入力された回数を実施例１の場合と同様に、通信装置２からの電話発呼に対して外部通話装置６の利用者が実際にオフフックするまでに発生すると想定される極性反転の回数のことを指す。例えば、極性検出手段８に設定されている予め定められた回数が「３回」であった場合、実際に外部通話装置６がオフフックするする際に発生する極性反転も含めて、３回の極性反転が発生したら極性検出手段８は外部通話装置６の利用者がオフフックしたと認識するものとする（ここで、回数には実際に外部通話装置６がオフフックした際に発生する極性反転を含んでもよいし含まなくてもよい）。そして、極性検出手段８は、発呼手段７が電話発呼を行うタイミングで予め定められたタイマーを起動し、当該タイマーがタイムオーバーする前に設定回数：３回の極性反転を検出できた場合には、正常に相手がオフフックしたと認識する。一方、当該タイマーがタイムオーバーするまでに設定回数：３回の極性反転を検出できなかった場合には、極性検出手段８はその旨を回線切断手段１１へ知らせる。回線切断手段１１は極性検出手段８からの信号を受けて、回線切断（オンフック）を行う。
【００６１】
以上より、通信装置２は、外部通話装置６が実際にオフフックするまでに検出する極性反転の回数を外部から設定できる為、物件毎に異なる接続環境においても、容易に外部への通報の最適化を図ることが可能となる。これは、現場での対応が可能なことを意味しており、通信装置及びシステム全体の普及促進に絶大なる効果があると共に、機器及びシステムの信頼性を向上させることができる。
【００６２】
なお、上記実施例では、設定手段１３への設定を「外部より」と説明したが、これは、例えば通信装置２が画面等のユーザーインターフェイスを持っている場合であれば、当該画面からの入力が可能なことを意味する。また、画面以外のユーザーインターフェースから入力できるようにしてもよい。さらには、外部のサーバ装置、携帯電話、パソコン、医療機関、サービスセンター等よりダウンロードや遠隔制御方式にて入力してもよい。また、通信装置の設置時等に接続されているモデム等にアクセスを行い試行を行って自動的にモデムの特性から極性反転検出回数を割り出して（学習して）設定する方法でもよい。さらに、運用中の接続環境の変化に対しても、通信装置が定期的もしくは不定期に接続モデム等の通信で当該最適回数を割り出し、臨機応変に変更する方法をとってもよい。
【図面の簡単な説明】
【００６３】
【図１】本発明のシステム全体のブロック図
【図２】本発明の実施例１における通信装置のブロック図
【図３】本発明の実施例２における通信装置のブロック図
【図４】従来例の一実施例の概略構成図
【図５】従来例の一実施例の送信機のブロック図
【図６】従来例の一実施例の送信機の正面図
【図７】従来例の一実施例の送信制御のフローチャート
【符号の説明】
【００６４】
１  家庭
２  通信装置
３  開閉センサ
４  人感センサ
５  緊急コールボタン
６  外部通話装置
７  電話発呼手段（発呼手段）
８  極性検出手段
９  ダイヤルトーン検出手段
１０  音声再生手段
１１  回線切断手段
１２  受信手段
１３  設定手段
【図１】
2005045706.tif 000003
【図２】
2005045706.tif 000004
【図３】
2005045706.tif 000005
【図４】
2005045706.tif 000006
【図５】
2005045706.tif 000007
【図６】
2005045706.tif 000008
【図７】
2005045706.tif 000009